(57)【特許請求の範囲】
【請求項１】
撮像対象を撮像して画像データを生成する撮像部と、
前記撮像部で生成された画像データと、前記画像データの平均輝度値により算出された電圧値と、を記憶する記憶部と、
前記画像データの画像を表示する表示部と、
前記表示部に表示されている前記画像を視認するための接眼部と、
前記表示部と前記接眼部とを含む光路を通過する前記画像の光を減光して透過させる減光部と、
前記記憶部に記憶された前記電圧値により前記減光部の透過率を変化させる制御部と、
を備え、
前記表示部は、発光ダイオードにより光を照射する照明部と、前記照明部により照明される液晶パネルと、を有し、
前記制御部は、前記照明部の明るさを変化させることなく、前記減光部の透過率を変化させて前記画像の光を減光させる撮像装置。
【請求項２】
前記減光部は、
印加される電界の大きさに応じて、透過させる光の透過率を変化させるエレクトロクロミック材料を含む
請求項１に記載の撮像装置。
【請求項３】
前記記憶部は、前記電圧値を前記画像データの平均輝度値に関連付けて記憶する
請求項１又は請求項２に記載の撮像装置。
【請求項４】
前記表示部は、光を照射する照明部と、前記照明部により照明される透過型の液晶パネルと、を有する
請求項１から請求項３のいずれか一項に記載の撮像装置。
【発明の詳細な説明】
【技術分野】
【０００１】
本発明は、撮像装置に関する。
【背景技術】
【０００２】
近年、表示機能を備える撮像装置として、電子ビューファインダ（ＥＶＦ：Ｅｌｅｃｔｒｉｃａｌ Ｖｉｅｗ Ｆｉｎｄｅｒ（以下、ＥＶＦと記載する。））などの表示装置を備える撮像装置が知られている（例えば、特許文献１を参照）。このような、撮像装置は、表示装置の光源（例えば、発光ダイオード）の特性向上に伴って、表示装置が表示する画像の明るさも向上している。
【先行技術文献】
【特許文献】
【０００３】
【特許文献１】特開平１−５７２４８号公報
【発明の概要】
【発明が解決しようとする課題】
【０００４】
しかしながら、例えば、上述のような撮像装置は、光源の特性向上に伴って、表示装置に表示される画像の明るさが向上しているため、表示される画像が明るすぎることがある。このため、上述のような撮像装置は、光源の電流値を変化させて、表示される画像を暗くさせることがあるが、光源の電流値が少し変化するだけで、表示装置が表示する明るさが大きく変化することがある。つまり、上述のような撮像装置は、表示する画像の明るさを安定させて低減することができないことがあるという問題があった。
【０００５】
本発明は、上記問題を解決すべくなされたもので、その目的は、表示する画像の明るさを安定させて低減することができる撮像装置を提供することにある。
【課題を解決するための手段】
【０００６】
本発明の一実施形態は、撮像対象を撮像して画像データを生成する撮像部と、前記撮像部で生成された画像データと、前記画像データの平均輝度値により算出された電圧値と、を記憶する記憶部と、前記画像データの画像を表示する表示部と、前記表示部に表示されている前記画像を視認するための接眼部と、前記表示部と前記接眼部とを含む光路を通過する前記画像の光を減光して透過させる減光部と、前記記憶部に記憶された前記電圧値により前記減光部の透過率を変化させる制御部と、を備え、前記表示部は、発光ダイオードにより光を照射する照明部と、前記照明部により照明される液晶パネルと、を有し、前記制御部は、前記照明部の明るさを変化させることなく、前記減光部の透過率を変化させて前記画像の光を減光させる撮像装置である。
【発明の効果】
【０００７】
本発明によれば、撮像装置は、表示する画像の明るさを安定させて低減することができる。
【図面の簡単な説明】
【０００８】
【図１】本発明の第１の実施形態に係る撮像装置の構成の一例を示す構成図である。
【図２】本実施形態における表示装置の構成の一例を示す構成図である。
【図３】本実施形態における撮像装置のスルー画表示動作を示すフローチャートである。
【図４】本実施形態における制御部を有する表示装置を備える撮像装置の構成の一例を示す構成図である。
【図５】本発明の第２の実施形態に係る撮像装置の構成の一例を示す構成図である。
【図６】本発明の第３の実施形態に係る撮像装置の構成の一例を示す構成図である。
【図７】本発明の第４の実施形態に係る撮像装置の構成の一例を示す構成図である。
【図８】本実施形態における照射部を備える表示装置の構成の一例を示す構成図である。
【図９】本発明の第５の実施形態に係る撮像装置の構成の一例を示す構成図である。
【発明を実施するための形態】
【０００９】
［第１の実施形態]
以下、図面を参照して、本発明の第１の実施形態を説明する。
図１は、本実施形態の撮像装置１００の構成を示す概略ブロック図である。
本実施形態の撮像システム１は、撮像装置１００と、記憶媒体２００とを備えている。
記憶媒体２００は、撮像装置１００に対して着脱可能に接続される記憶部であり、例えば、撮像部２で撮像されて生成された画像データが記録される。
撮像装置１００は、撮像部２、制御部３、画像処理部４、記憶部５、バッファメモリ部６、表示装置７、受信部１０、操作部１１、カードコネクタ１２、電源部１３、及びバス１５を備えている。
【００１０】
撮像部２は、レンズ部２１、撮像素子２２、及びＡ/Ｄ変換部２３を備えており、撮像対象を撮像して画像データを生成する。この撮像部２は、設定された撮像条件（例えば絞り値、露出等）に基づいて制御部３により制御され、レンズ部２１を介して入力された撮像対象の光学像を、撮像素子２２の撮像面上に結像させる。また、撮像部２は、撮像素子２２から出力されたアナログ信号をＡ/Ｄ変換部２３においてデジタル信号に変換し、画像データを生成する。
なお、上述したレンズ部２１は、撮像装置１００に取り付けられて一体とされていてもよいし、撮像装置１００に着脱可能に取り付けられてもよい。
【００１１】
撮像素子２２は、撮像面に結像された光学像を光電変換したアナログ信号を、Ａ/Ｄ変換部２３に出力する。
Ａ/Ｄ変換部２３は、撮像素子２２から入力されたアナログ信号をデジタル信号に変換し、この変換したデジタル信号である画像データを出力する。
【００１２】
例えば、撮像部２は、操作部１１における静止画撮像操作に応じて、撮像した静止画の画像データを出力する。また、撮像部２は、操作部１１における動画撮像操作に応じて、所定の間隔で連続的に撮像した動画の画像データを出力する。そして、制御部３は、撮像部２によって撮像された静止画の画像データ及び動画の画像データを、バス１５、バッファメモリ部６及び画像処理部４を介して記憶媒体２００に記録させる。また、撮像部２は、操作部１１における撮像操作がされていない撮像待機状態の場合、所定の間隔で連続的に得られる画像データをスルー画像データ(スルー画）として出力する。そして、制御部３は、撮像部２から出力されたスルー画像データを、バッファメモリ部６や画像処理部４を介して表示装置７の表示部７１に表示させる。
【００１３】
画像処理部４は、記憶部５に記憶されている画像処理条件に基づいて、バッファメモリ部６に記憶されている画像データに対して画像処理を実行する。ここで、バッファメモリ部６に記憶されている画像データとは、例えば、撮像部２によって撮像された静止画の画像データ、スルー画像データ、もしくは動画の画像データ、または記憶媒体２００から読み出された画像データである。本実施形態の画像処理部４は、例えば、スルー画像データに含まれる輝度の情報に基づいて、スルー画像データの平均輝度値を算出する。
【００１４】
記憶部５には、撮像装置１００を制御するための、予め定められた撮像条件、画像処理条件、再生制御条件、表示制御条件、記録制御条件、及び出力制御条件などが記憶されている。例えば、記憶部５は、ＲＯＭ（Read Only Memory）である。
なお、記憶部５には、撮像された動画の画像データ及び静止画の画像データが記録されてもよい。この場合、例えば、記憶部５は、フラッシュメモリ等であってもよい。
【００１５】
バッファメモリ部６は、制御部３が撮像装置１００を制御する際の作業領域として利用される。撮像部２によって撮像された静止画の画像データ、スルー画像データ、もしくは動画の画像データ、または記憶媒体２００から読み出された画像データは、制御部３の制御による画像処理の過程においてバッファメモリ部６に一時的に記憶される。バッファメモリ部６は、例えばＲＡＭ（Random Access Memory）である。
【００１６】
操作部１１は、撮像装置１００に対して操作者が操作入力するための操作スイッチを備えている。例えば、操作部１１は、電源スイッチ、レリーズスイッチ、モードスイッチ、メニュースイッチ、上下左右選択スイッチ、確定スイッチ、取消スイッチ、及びその他の操作スイッチを備えている。操作部１１が備えている上述のそれぞれのスイッチは、操作されることに応じて、それぞれの操作に対応した操作信号を制御部３に出力する。
【００１７】
カードコネクタ１２には、カードメモリ等の着脱可能な記憶媒体２００が挿入される。
カードコネクタ１２を介して、この記憶媒体２００に画像データの書込み、読み出し、または消去が実行される。
【００１８】
電源部１３は、撮像装置１００が備えている各部に電力を供給する。電源部１３は、例えばバッテリーを備えており、当該バッテリーから供給される電力の電圧を、上述の各部における動作電圧に変換する。
【００１９】
バス１５は、撮像部２、制御部３、画像処理部４、記憶部５、バッファメモリ部６、表示装置７、操作部１１、及びカードコネクタ１２と接続され、各部から出力された画像データや制御信号等を転送する。
【００２０】
表示装置７は、例えば、電子ビューファインダー（ＥＶＦ：Ｅｌｅｃｔｒｉｃａｌ Ｖｉｅｗ Ｆｉｎｄｅｒ）であり、撮像部２によって撮像された画像データに基づく画像、もしくは記憶媒体２００から読み出された画像データに基づく画像、またはメニュー画面、もしくは撮像装置１００の動作状態や設定に関する情報等を表示する。また、表示装置７は、後述するように、表示部７１と、減光部７２と、接眼部７３とを備えている。
【００２１】
次に、図２を参照して、表示装置７の構成を説明する。
図２は、本実施形態における表示装置７の構成の一例を示す図である。
表示部７１は、撮像対象の画像を表示する。本実施形態の表示部７１は、例えば、照明部７１ａと、液晶パネル７１ｂとを備えている。
【００２２】
液晶パネル７１ｂは、撮像対象の画像を表示する。本実施形態の、液晶パネル７１ｂは、例えば、透過性または半透過性の液晶ディスプレイ等である。
照明部７１ａは、液晶パネル７１ｂの、例えば裏面に備えられており、液晶パネル７１ｂに表示される画面の視認性を高めるように液晶パネル７１ｂを照明する。なお、図２においては、照明部７１ａは、例えばバックライトとして透過型または半透過型の液晶パネル７１ｂの裏面に配置されているが、反射型の液晶パネル７１ｂの前面を照明してもよい。
接眼部７３は、表示部７１によって表示される表示画像を視認できる。本実施形態の接眼部７３は、例えば光学レンズを含み、表示部７１によって表示されている画像を、ユーザが視認可能な位置に合焦させる。
【００２３】
減光部７２は、表示部７１と接眼部７３との光路上に配置され、表示部７１によって表示される画像を減光させて、表示される画像を透過させる。つまり、減光部７２は、表示部７１と接眼部７３とを含む光路を通過する表示画像の光を減光して透過させる。また、減光部７２は、例えば、印加される電界の大きさに応じて、透過させる光の透過率を変化させるエレクトロクロミック材料を含んでいる。ここで、エレクトロクロミック材料には、例えば、ポリアニリン、ビオロゲン、ポリオキソタングステート、三酸化タングステンなどが含まれる。
【００２４】
再び、図１を参照して本実施形態の撮像装置１００の構成を説明する。
減光部７２は、電圧印加線Ｌを介して制御部３に接続されている。電圧印加線Ｌは、制御部３から出力される駆動電圧を減光部７２に供給する。つまり、減光部７２には、制御部３から供給される駆動電圧に応じた大きさの電界が印加される。
制御部３は、撮像装置１００が備えている各部を制御する。本実施形態の制御部３は、例えば、減光部７２に含まれるエレクトロクロミック材料に印加される電界の大きさを電圧印加線Ｌを介して制御する。つまり、制御部３は、減光部７２の光の透過率を制御する。また、制御部３は、表示装置７の表示部７１に表示される画像の明るさに基づいて、エレクトロクロミック材料に印加される電界の大きさを制御する。例えば、本実施形態の制御部３は、画像処理部４から取得したスルー画像データの輝度の情報に基づいて、エレクトロクロミック材料に印加される電界の大きさを制御する。例えば、制御部３は、画像処理部４から取得したスルー画像データの輝度が大きい（つまり、表示部７１に表示される画像が明るい）場合には、減光部７２の光の透過率を小さくするように制御する。また、例えば、制御部３は、画像処理部４から取得したスルー画像データの輝度値が小さい（つまり、表示部７１に表示される画像が暗い）場合には、減光部７２の光の透過率を大きくするように制御する。
【００２５】
次に、図３を参照して、本実施形態の撮像装置１００によるスルー画表示動作を説明する。
図３は、撮像装置１００によるスルー画表示動作を示すフローチャートである。
まず、制御部３は、操作部１１における撮像操作がされていない撮像待機状態であるか否かを判定する（ステップＳ１００）。ここで、制御部３は、撮像待機状態でないと判定した場合（ステップＳ１００：ＮＯ）には、スルー画表示動作を終了する。一方、制御部３は、撮像待機状態であると判定した場合（ステップＳ１００：ＹＥＳ）には、処理をステップＳ１１０に進める。
【００２６】
次に、撮像部２は、撮像待機状態、撮像対象を撮像して画像データを生成する（ステップＳ１１０）。本実施形態の撮像部２は、例えば、撮像素子２２から出力されたアナログ信号をＡ/Ｄ変換部２３においてデジタル信号に変換し、スルー画像データを生成する。
【００２７】
次に、制御部３は、ステップＳ１１０において生成されたスルー画像データを、バス１５を介してバッファメモリ部６に記憶させる（ステップＳ１２０）。
【００２８】
次に、画像処理部４は、バッファメモリ部６に記憶されているスルー画像データを、バス１５を介して読み出し、読み出したスルー画像データに含まれる輝度の情報に基づいて、スルー画像データの平均輝度値を算出する（ステップＳ１３０）。
【００２９】
次に、制御部３は、ステップＳ１３０において算出されたスルー画像データの平均輝度値に基づいて、減光部７２に出力する印加電圧値を算出する（ステップＳ１４０）。本実施形態においては、例えば、記憶部５には、電圧値が、スルー画像データの平均輝度値に関連付けられて記憶部５に予め記憶されている。そして、制御部３は、例えば、算出されたスルー画像データの平均輝度値に関連付けられている電圧値を、減光部７２に出力する印加電圧値として記憶部５から読み出す。このようにして、制御部３は、減光部７２に出力する印加電圧値を算出する。
【００３０】
次に、制御部３は、ステップＳ１４０において算出した印加電圧値に応じた電圧を、電圧印加線Ｌを介して、表示装置７の減光部７２に出力する（ステップＳ１５０）。これにより、減光部７２は、減光部７２の透過率が、印加される電界に応じた光の透過率にされる。
【００３１】
次に、制御部３は、バッファメモリ部６に記憶されているスルー画像データを、バス１５を介して読み出し、読み出したスルー画像データを、バス１５を介して表示装置７の表示部７１に出力する。表示部７１は、供給されたスルー画像データを表示して、スルー画像データ表示動作を終了する（ステップＳ１６０）。
【００３２】
このようにして、本実施形態の撮像装置１００は、スルー画を表示する場合に、表示部７１によって表示されるスルー画像を減光させて表示される画像を透過させる。つまり、本実施形態の撮像装置１００は、表示装置７（例えば、ＥＶＦ）が表示する画像の明るさを低減する。
【００３３】
以上、説明したように、本実施形態の撮像装置１００は、表示部７１が備える照明部７１ａ（例えば、バックライト）の明るさを変化させることなく、表示装置７（例えば、ＥＶＦ）が表示する画像の明るさを低減することができる。ここで、撮像装置１００は、照明部７１ａが備える、例えば、発光ダイオードに供給される電流値を変化させることによっても、照明部７１ａの明るさを変化させることができる。しかしながら、照明部７１ａは、電流値が少しでも変化すると、照明部７１ａの明るさが変化することがある。つまり、撮像装置１００は、照明部７１ａに供給される電流の大きさによって、照明部７１ａの明るさを安定させて低減することができないことがある。一方、本実施形態の撮像装置１００は、上述したように、照明部７１ａの明るさを変化させることなく、減光部７２の光の透過率を変化させることによって表示装置７が表示する画像の明るさを低減することができる。つまり、本実施形態の撮像装置１００は、表示装置７（例えば、ＥＶＦ）が表示する画像の明るさを安定させて低減することができる。
【００３４】
また、本実施形態の撮像装置１００の減光部７２は、印加される電界の大きさに応じて、透過させる光の透過率を変化させるエレクトロクロミック材料を含んでいる。これにより、本実施形態の撮像装置１００は、表示装置７（例えば、ＥＶＦ）が表示する画像の明るさを変化させて低減することができる。
【００３５】
また、本実施形態の撮像装置１００は、所定の設定値に基づいて、エレクトロクロミック材料に印加される電界の大きさを制御する制御部３を備えている。これにより、本実施形態の撮像装置１００は、表示装置７（例えば、ＥＶＦ）が表示する画像の明るさを所定の明るさに変化させて低減することができる。
【００３６】
また、本実施形態の撮像装置１００の制御部３は、所定の設定値としての表示部７１に表示される画像の明るさに基づいて、エレクトロクロミック材料に印加される電界の大きさを制御する。これにより、本実施形態の撮像装置１００は、表示装置７（例えば、ＥＶＦ）が表示する画像の明るさに応じて、表示装置７が表示する画像の明るさを変化させて低減することができる。例えば、本実施形態の撮像装置１００は、表示装置７が表示する画像の明るさが変化しても、表示装置７が表示する画像の明るさを一定の明るさにして低減することができる。
【００３７】
なお、本実施形態においては、減光部７２に印加される電界の大きさを制御部３が制御する構成を説明したが、これに限られない。例えば、図４に示すように、撮像装置１００は、表示装置７が、制御部７４を備えている構成であってもよい。
図４は、制御部７４を備える撮像装置１００の構成の一例を示す図である。
この場合、制御部７４は、上述した制御部３と同様に、減光部７２に含まれるエレクトロクロミック材料に印加される電界の大きさを、電圧印加線Ｌを介して制御する。これによって、本実施形態の撮像装置１００は、制御部３の構成を変更することなく、表示装置７を取り付けることができる。
【００３８】
［第２の実施形態]
次に、図５を参照して、本発明の第２の実施形態を説明する。なお、上述した第１の実施形態において説明した構成及び動作については、説明を省略する。
【００３９】
図５は、本実施形態の撮像装置１００の構成の一例を示す構成図である。
本実施形態の撮像装置１００は、測光部７５を備えている。
測光部７５は、撮像装置１００（自撮像装置）周囲の光の強さを測定する。本実施形態の測光部７５は、例えば、撮像装置１００の周囲の明るさを検出する測光センサを備えており、測光センサによって測定した明るさの情報を出力する。
【００４０】
制御部３は、測光部７５によって測定された光の強さに応じて、エレクトロクロミック材料に印加される電界の大きさを制御する。つまり、制御部３は、測光部７５によって測定された周囲の明るさに応じて、減光部７２の光の透過率を変化させる。本実施形態の制御部３は、例えば、測光部７５から周囲の光の強さの情報を、バス１５を介して取得し、取得した光の強さの情報に基づいて、減光部７２の光の透過率を制御する。ここで、制御部３は、例えば、測光部７５から取得した撮像装置１００の周囲の光の強さが強い（つまり、撮像装置１００の周囲が明るい）場合には、減光部７２の光の透過率を大きくするように制御する。また、制御部３は、例えば、測光部７５から取得した撮像装置１００の周囲の光の強さが弱い（つまり、撮像装置１００の周囲が暗い）場合には、減光部７２の光の透過率を小さくするように制御する。
【００４１】
以上説明したように、本実施形態の撮像装置１００は、自撮像装置１００周囲の光の強さを測定する測光部７５を備えており、制御部３は、所定の設定値としての測光部７５によって測定された光の強さに応じて、エレクトロクロミック材料に印加される電界の大きさを制御する。これにより、本実施形態の撮像装置１００は、撮像装置１００の周囲の明るさに応じて、表示装置７（例えば、ＥＶＦ）が表示する画像の明るさを変化させて低減することができる。例えば、本実施形態の撮像装置１００は、撮像装置１００の周囲が暗い場合には、表示装置７が表示する画像の明るさを暗く変化させて低減することができる。
【００４２】
［第３の実施形態]
次に、図６を参照して、本発明の第３の実施形態を説明する。なお、上述した各実施形態において説明した構成及び動作については、説明を省略する。
【００４３】
図６は、本実施形態の撮像装置１００の構成の一例を示す構成図である。
本実施形態の撮像装置１００は、設定部７６を備えている。
設定部７６は、ユーザからの指示に基づいて減光部７２の透過率が設定される。本実施形態の設定部７６は、例えば、操作スイッチを含んでおり、操作スイッチを介して、ユーザによる入力に応じた減光部７２の透過率が設定される。
【００４４】
制御部３は、所定の設定値としての設定部７６によって設定された光の透過率に基づいて、エレクトロクロミック材料に印加される電界の大きさを制御する。つまり、制御部３は、設定部７６によって設定された光の透過率に応じて、減光部７２の光の透過率を変化させる。本実施形態の制御部３は、例えば、設定部７６に設定された減光部７２の透過率の情報を、バス１５を介して取得し、取得した減光部７２の透過率の情報に基づいて、減光部７２の光の透過率を制御する。
【００４５】
以上説明したように、本実施形態の撮像装置１００は、減光部７２の透過率が設定される設定部７６を備え、制御部３は、所定の設定値としての設定部７６によって設定された光の透過率に基づいて、エレクトロクロミック材料に印加される電界の大きさを制御する。これにより、本実施形態の撮像装置１００は、ユーザの指示に応じて、表示装置７（例えば、ＥＶＦ）が表示する画像の明るさを変化させて低減することができる。
【００４６】
［第４の実施形態]
次に、図７を参照して、本発明の第４の実施形態を説明する。なお、上述した各実施形態において説明した構成及び動作については、説明を省略する。
【００４７】
図７は、本実施形態の撮像装置１００の構成の一例を示す構成図である。
本実施形態の減光部７２は、例えば、照射される光の強さに応じて、透過させる光の透過率を変化させるフォトクロミック材料を含んでいる。ここで、フォトクロミック材料には、アゾベンゼン、スピロベンゾピラン、フリルフルギド、ジアリールエテンなどが含まれる。
また、本実施形態の撮像装置１００は、照射部７７ａと、照射制御部７７ｂとを備えている。
【００４８】
図８は、照射部７７ａを備える表示装置７の構成の一例を示す図である。
照射部７７ａは、減光部７２に光を照射する。本実施形態の照射部７７ａは、例えば、発光ダイオードなどを備えており、照射制御部７７ｂによって制御される光の強さによって、図８に示すように、減光部７２に光を照射する。
照射制御部７７ｂは、照射部７７ａによって減光部７２に照射される光の強さを制御する。本実施形態の照射制御部７７ｂは、例えば、バス１５を介して画像処理部４から取得したスルー画像データの輝度の情報に基づいて、フォトクロミック材料に照射される光の強さを制御する。例えば、照射制御部７７ｂは、画像処理部４から取得したスルー画像データの輝度が大きい（つまり、表示部７１に表示される画像が明るい）場合には、減光部７２に照射される光の強さを強くするように制御する。また、例えば、照射制御部７７ｂは、画像処理部４から取得したスルー画像データの輝度値が小さい（つまり、表示部７１に表示される画像が暗い）場合には、減光部７２に照射される光の強さを弱くするように制御する。
【００４９】
以上説明したように、本実施形態の撮像装置１００の減光部７２は、照射される光の強さに応じて、透過させる光の透過率を変化させるフォトクロミック材料を含んでいる。ここで、撮像装置１００は、照明部７１ａが備える、例えば、発光ダイオードに供給される電流値を変化させることによっても、照明部７１ａの明るさを変化させることができる。しかしながら、照明部７１ａは、電流値が少しでも変化すると、照明部７１ａの明るさが変化することがある。つまり、撮像装置１００は、照明部７１ａに供給される電流の大きさによって、照明部７１ａの明るさを安定させて低減することができないことがある。一方、本実施形態の撮像装置１００は、上述したように、照明部７１ａの明るさを変化させることなく、減光部７２の光の透過率を変化させることによって表示装置７が表示する画像の明るさを低減することができる。つまり、本実施形態の撮像装置１００は、表示装置７（例えば、ＥＶＦ）が表示する画像の明るさを安定させて低減することができる。
【００５０】
また、本実施形態の撮像装置１００は、減光部７２に光を照射する照射部７７ａと、照射部７７ａによって減光部７２に照射される光の強さを制御する照射制御部７７ｂとを備えている。これにより、本実施形態の撮像装置１００は、表示装置７（例えば、ＥＶＦ）が表示する画像の明るさを所定の明るさに変化させて低減することができる。
【００５１】
また、本実施形態の撮像装置１００の照射制御部７７ｂは、表示部７１に表示される画像の明るさに基づいて、照射部７７ａによって減光部７２に照射される光の強さを制御する。これにより、本実施形態の撮像装置１００は、表示装置７（例えば、ＥＶＦ）が表示する画像の明るさに応じて、表示装置７が表示する画像の明るさを変化させて低減することができる。例えば、本実施形態の撮像装置１００は、表示装置７が表示する画像の明るさが変化しても、表示装置７が表示する画像の明るさを一定の明るさにして低減することができる。
【００５２】
なお、本実施形態において撮像装置１００の減光部７２に光を照射する照射部７７ａは、フォトクロミック材料が透過させる光の透過率を変化させることができる電磁波を照射できればよい。例えば、照射部７７ａが照射する光は、可視光に限られず、不可視光であってもよい。これにより、本実施形態の撮像装置１００は、接眼部７３から照射部７７ａが照射する光（電磁波）が視認されることなく、減光部７２に光（電磁波）を照射することができる。
【００５３】
なお、本実施形態において撮像装置１００は、上述したように測光部７５を備えていてもよい。この場合において、照射制御部７７ｂは、測光部７５によって測定された光の強さに応じて、照射部７７ａによって減光部７２に照射される光の強さを制御してもよい。これにより、本実施形態の撮像装置１００は、撮像装置１００の周囲の明るさに応じて、表示装置７（例えば、ＥＶＦ）が表示する画像の明るさを変化させて低減することができる。例えば、本実施形態の撮像装置１００は、撮像装置１００の周囲が暗い場合には、表示装置７が表示する画像の明るさを暗く変化させて低減することができる。
【００５４】
なお、本実施形態において撮像装置１００は、上述したように設定部７６を備えていてもよい。この場合において、照射制御部７７ｂは、設定部７６によって設定された光の透過率に基づいて、照射部７７ａによって減光部７２に照射される光の強さを制御してもよい。これにより、本実施形態の撮像装置１００は、ユーザの指示に応じて、表示装置７（例えば、ＥＶＦ）が表示する画像の明るさを変化させて低減することができる。
【００５５】
［第５の実施形態]
次に、図９を参照して、本発明の第５の実施形態を説明する。なお、上述した各実施形態において説明した構成及び動作については、説明を省略する。
【００５６】
図９は、本実施形態の撮像装置１００の構成の一例を示す構成図である。
本実施形態の減光部７２は、透過する光を減光させる減光フィルタを含んでいる。例えば、減光部７２は、所定の光の透過率を有する減光フィルタとしてのＮＤフィルタを含んでいる。
【００５７】
以上説明したように、本実施形態の撮像装置１００の減光部７２は、透過する光を減光させる減光フィルタを含んでいる。これにより、本実施形態の撮像装置１００は、減光フィルタの所定の光の透過率によって、表示装置７が表示する画像の明るさを低減することができる。つまり、本実施形態の撮像装置１００は、表示装置７（例えば、ＥＶＦ）が表示する画像の明るさを安定させて低減することができる。
【００５８】
なお、本実施形態の制御部３は、操作部１１によって設定された明るさの設定値に基づいて、照明部７１ａの明るさを制御してもよい。例えば、制御部３は、操作部１１によって設定された明るさの設定値に応じた電流値によって、照明部７１ａが備える光源の電流値を変化させてもよい。これにより、本実施形態の撮像装置１００は、減光フィルタの所定の光の透過率によって、表示装置７に表示される画像の明るさが安定して低減された状態において、表示される画像の明るさを変化させることができる。
【００５９】
以上、本発明の実施形態を図面を参照して詳述してきたが、具体的な構成はこの実施形態に限られるものではなく、本発明の趣旨を逸脱しない範囲で適宜変更を加えることができる。
【００６０】
なお、上記の実施形態における制御部３及び制御部７４（以下、総称して制御部ＣＯＮＴと記載する）又はこの制御部ＣＯＮＴが備える各部は、専用のハードウェアにより実現されるものであってもよく、また、メモリおよびマイクロプロセッサにより実現させるものであってもよい。
【００６１】
なお、この制御部ＣＯＮＴ又は制御部ＣＯＮＴが備える各部は、専用のハードウェアにより実現されるものであってもよく、また、この制御部ＣＯＮＴ又は制御部ＣＯＮＴが備える各部はメモリおよびＣＰＵ（中央演算装置）により構成され、制御部ＣＯＮＴ又は制御部ＣＯＮＴが備える各部の機能を実現するためのプログラムをメモリにロードして実行することによりその機能を実現させるものであってもよい。
【００６２】
また、制御部ＣＯＮＴ又は制御部ＣＯＮＴが備える各部の機能を実現するためのプログラムをコンピュータ読み取り可能な記録媒体に記録して、この記録媒体に記録されたプログラムをコンピュータシステムに読み込ませ、実行することにより、制御部ＣＯＮＴ又は制御部ＣＯＮＴが備える各部による処理を行ってもよい。なお、ここでいう「コンピュータシステム」とは、ＯＳや周辺機器等のハードウェアを含むものとする。
【００６３】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【符号の説明】
【００６４】
２…撮像部、３…制御部、７…表示装置、１１…操作部、７１…表示部、７１ａ…照明部、７１ｂ…液晶パネル、７２…減光部、７３…接眼部、７４…制御部、７５…測光部、７６…設定部、７７ａ…照射部、７７ｂ…照射制御部、１００…撮像装置
【図１】
0006019590.tif 000002
【図２】
0006019590.tif 000003
【図３】
0006019590.tif 000004
【図４】
0006019590.tif 000005
【図５】
0006019590.tif 000006
【図６】
0006019590.tif 000007
【図７】
0006019590.tif 000008
【図８】
0006019590.tif 000009
【図９】
0006019590.tif 000010